(57)【要約】【課題】左右両側からも手の掛けられ、観音開式扉の縦形ハンドルと統一性のあるデザインを備えた冷蔵庫を提供する。【解決手段】最上部に配置された観音式扉と、この観音式扉の下方に配置された引出式扉とを備えた冷蔵庫において、前記観音式扉が、左右両扉の接する外表面に扉の上端から下端まで設けられるハンドルを有し、前記引出式扉が、前記観音式扉に設けたハンドルの左右幅と等しい幅であり、前記観音式扉に設けたハンドルと高さが面一となるハンドルを有し、このハンドルの左右両側面が、引出式扉の外表面よりも突出させる。【選択図】  図１
2004218864.tif 000002
【特許請求の範囲】
【請求項１】
最上部に配置された観音式扉と、この観音式扉の下方に配置された引出式扉とを備えた冷蔵庫において、前記観音式扉が、左右両扉の接する外表面に扉の上端から下端まで設けられるハンドルを有し、前記引出式扉が、前記観音式扉に設けたハンドルの左右幅と等しい幅であり、前記観音式扉に設けたハンドルと高さが面一となるハンドルを有し、このハンドルの左右両側面が、引出式扉の外表面よりも突出している冷蔵庫。
【請求項２】
請求項１において、引出式扉のハンドルが、引出式扉の上端エンドピースと化粧カバーとを備えた冷蔵庫。
【請求項３】
請求項２において、上端エンドピースが、断熱材流動用の孔を備え、引出式扉の断熱材により化粧カバーと一体に成形された冷蔵庫。
【請求項４】
引出式扉と、この引出式扉の上部中央に配置されるハンドルとを備え、このハンドルが、ハンドル下方から指を挿入する袋部と、この袋部を形成する左右側面に形成された手掛け部とを有する冷蔵庫。
【発明の詳細な説明】
【０００１】
【発明の属する技術分野】
本発明は冷蔵庫に関する。
【０００２】
【従来の技術】
従来の冷蔵庫について図５及び図６を用いて説明する。図５は従来の冷蔵庫の要部斜視図であり、図６は従来の引出式冷蔵庫扉のハンドル部縦断面図である。
【０００３】
図５及び図６に於いて、１０１は冷蔵庫本体、１０２ａ及び１０２ｂは上部に位置する冷蔵庫の観音開き扉の左側と右側の扉である。１０３ａ及び１０３ｂは観音開式扉の左ハンドル及び右ハンドルである。１０４は引出式扉であり、１０５ａはその上端に位置するハンドルである。
【０００４】
観音開式扉のハンドルは、上・下に固定部１０３ａ′、１０３ａ″（又は１０３ｂ′、１０３ｂ″）のある左右から手指の掛けられる縦長のハンドルを備え、引出式扉１０４のハンドル１０５ａは、上部エンドピース１０５と一体に成形された横長で、下方から指先を挿入する袋状の形状をしたものが多い。
【０００５】
【特許文献１】
特開平９−７９７３６号公報（図８）
【０００６】
【発明が解決しようとする課題】
しかしながら、これらのハンドルは、先ず形態的に見て、上部の観音開式扉１０２ａ、１０２ｂに縦長のハンドル１０３ａ及び１０３ｂが付いたものと、下部の引出式扉１０４に横長のハンドル１０５ａが付いたものとが、冷蔵庫としての一体感に貧しくスッキリとした斬新さに欠けていた。
【０００７】
また、使い勝手としては、上方の観音開式扉のハンドル（１０３ａ、１０３ｂ）がハンドル部にしか手が掛けられないので、背の低い子供では手が届きにくく使いずらいし、下方の引出式扉１０４のハンドル１０５ａは、袋状のため下方からしか指が入らず、その時は力の入る親指に力を掛けられないので、普段力をかけることの少ない、薬指、中指、人差し指などに引出す際の力がかかり、収納容器に重量物が入って重たい時は引出すのが容易ではなく、特に小さな子供にとっては開けにくい問題がある。
【０００８】
このような従来の引出式扉のハンドルは、袋状または湾曲状の形をした上又は下からの二方向よりしか手が掛けられず、冷蔵庫前の立ち位置によっては、使いずらいし、上部に位置する観音開き扉のハンドルとの一体感に欠け冷蔵庫全体の意匠としては観音開き扉のハンドルとアンバランスであった。
【０００９】
本発明の第１の目的は、左右両側からも手の掛けられ、観音開式扉の縦形ハンドルと統一性のあるデザインを備えた冷蔵庫を提供することにある。
【００１０】
また、一般にハンドルのデザインを引立てるために、別ピースにてメッキによる光物などをあしらったり、二重構造にして重厚感をもたせたりするが、合せ方がまずいと小さな衝撃でもはずれてしまうことがある。
【００１１】
本発明の第２の目的は、複数部材からなるハンドルであっても、衝撃により分解しずらい冷蔵庫を提供することにある。
【００１２】
【課題を解決するための手段】
上記第１の目的は、最上部に配置された観音式扉と、この観音式扉の下方に配置された引出式扉とを備えた冷蔵庫において、前記観音式扉が、左右両扉の接する外表面に扉の上端から下端まで設けられるハンドルを有し、前記引出式扉が、前記観音式扉に設けたハンドルの左右幅と等しい幅であり、前記観音式扉に設けたハンドルと高さが面一となるハンドルを有し、このハンドルの左右両側面が、引出式扉の外表面よりも突出させることで達成される。
【００１３】
また、引出式扉のハンドルは、引出式扉の上端エンドピースと化粧カバーとを備えた複数ピースであることが好ましい。
【００１４】
更に、引出式扉と、この引出式扉の上部中央に配置されるハンドルとを備え、このハンドルが、ハンドル下方から指を挿入する袋部と、この袋部を形成する左右側面に形成された手掛け部とを有することが好ましい。
【００１５】
更に、本発明の第２の目的は、上端エンドピースが、断熱材流動用の孔を備え、引出式扉の断熱材により化粧カバーと一体に成形することにより達成される。
【００１６】
【発明の実施の形態】
以下、本発明の詳細を図１から図４に示す実施の形態で説明する。
本発明の全体構成を図１〜図４により説明すると、図１は本発明の一実施の形態を示す、引出し式扉の要部斜視図であり、図２は引出し式扉のハンドルの把手に右手を掛けているところを上部から見た平面図であり、図３は観音開き扉７を有する冷蔵庫の正面図であり、図４は引出し式扉を構成する上部エンドピースと一体のハンドルを示す要部縦断面図である。
【００１７】
図に示す如く、ハンドル下端５ｂから手を掛けることが出来る袋部と、その袋部両側に形成された手掛け部５ｃ、５ｄとから成る引出式扉のハンドル５を冷蔵庫の引出式扉１の上端エンドピース２と一体に成形して扉１の中央に設けると共に、引出式扉１のすぐ上に位置する冷蔵庫の観音開式扉７の左右隣り合う向い合った縁に上端から下端まで対向して設けられた、断面がＬ字状したハンドル８の高さ及び上記の左右２本のハンドル８の取付け巾Ｌ１が冷蔵庫組立上りの引出しハンドル５の高さＨ及び巾Ｌ２と同じ巾としたものである。
【００１８】
引出式扉のハンドル形状は図２において、２は扉１を構成する上部エンドピースであり、５ｄは手掛け部でありハンドル右側の稜線部の裏側であり窪みの始まり部であるところに親指６が掛けられたところである。残る４本の手指が袋状の把手の中に納まり、親指だけがハンドル５の正面外周の稜線部裏側に掛かっているところであり、親指６にも力がかけられバランス良く引出式扉１を引き出そうとしているところである。
【００１９】
次に、冷蔵庫の正面から見た外観は図３に示す如く、７は観音開式扉であり、８は縦長の形状をしたハンドルであり、右扉７ｂには右側から手指を掛けられるよう右側面が断面９に示す如く窪んでいる。１は観音開式扉７の下に位置する引出式扉であり、５は扉１に付けられたハンドルであり、横断面の外周形状は上位の観音開き扉７のハンドル８断面投影面９と同一形状をしている。したがって、正面からみたデザインは観音開き式扉のハンドルと引出し式扉のハンドルが統一された美しいデザインであり、スッキリした斬新な使い易いデザインが得られる。
【００２０】
ハンドルの構成は図４に示す如く、２は上端のエンドピースであり、ハンドルの主体２ａが一体に成形されており主体２ａの係合部２ｂ、２ｃおよび２ｄと、化粧カバー５ｅの係合部５ｆ、５ｇおよび５ｈにてハンドル主体２と化粧カバー５ｅの二つの部品が結合し一体化されている。尚、係合部２ｂは穴であり、係合部５ｆの左右ブレを防ぐ役目もしている。
【００２１】
一体化されたハンドルの主体２ａと別体の化粧カバーが構成する空間にウレタンフォーム３が充填されている。ウレタンフォームはハンドル主体２ａと化粧カバー５ｅが形成する空間に扉発泡時に上部エンドピース２の穴２ｅから流れ込んで、ウレタンフォームの接着力にて各々の内面がウレタンフォームに固着されているので、外部からの衝撃に対してもずれることがなく、上部エンドピースとハンドル主体の付根が一体に成形されるウレタンで補強されるので堅牢なハンドルが得られる。
【００２２】
以上詳細に説明したように、本発明によれば、引出し式冷凍室の扉のハンドルに下面および両側面の三方向から手が掛けられるので、身体の位置がどこにあろうと、また、左ききでも右ききでも、ハンドル取付位置の高さに関係なく自由に開けられる。
【００２３】
特に袋状のハンドルの下面に手を掛けて引く時に親指をハンドルの側面の外周突部に掛けられるので力が掛けやすく、指先の力のバランスがとれた開け方が出来る。
【００２４】
下から手を掛けることの出来る袋部とその袋部両側に形成された手掛け部とから成る引出し式ハンドルを冷蔵庫の引出し扉の中央上縁に取付けると共に、上記引出し扉のすぐ上に位置する観音開き扉の隣り合う縁に扉上端から下端まで、対向して設けられた断面Ｌ字状ハンドルの高さ及び上記２本のハンドルの取付け巾Ｌ１が冷蔵庫組立時、先の引出しハンドルの高さ及び巾Ｌと同じくしたことにより、上段の観音開き式の扉ハンドルと引出し式扉のハンドルがスッキリとした美しい斬新なデザインとなった。
【００２５】
又、引出し式扉のハンドルの位置が上位の観音開き扉の下に位置するので、冷蔵庫の前に立って手を掛けた時、親指が自然とハンドルの外周の先端に掛る位置にあるので開けやすい。
【００２６】
ハンドル主体と化粧カバーのツメの嵌合方向が三箇所で上下方向、左右方向および前面方向に同時に係合するので、外力に対して剥れにくく、上段の観音開き扉と連続性のある、見た目にスッキリした機能性の高い堅牢なハンドルが得られる。
【００２７】
エンドピースと一体のハンドル主体と別体の化粧カバーが構成する空間にウレタンフォームが充満されて一体化されたので、ハンドル主体の弱い付根が補強されて、外部からの衝撃に対して、ウレタンフォームの接着力と充填により、変形が起きず、はずれにくくなった強度の堅牢なハンドル付冷蔵庫を提供できる。
【００２８】
【発明の効果】
本発明の冷蔵庫は、左右両側からも手の掛けられ、観音開式扉の縦形ハンドルと統一性のあるデザインを備え、また、複数部材からなるハンドルであっても、衝撃により分解しずらい。
【図面の簡単な説明】
【図１】本発明の一実施の形態を示す引出し式扉の要部斜視図である。
【図２】本発明の一実施の形態を示す、ハンドルに右手を掛けているところを上部から見た平面図である。
【図３】本発明の一実施の形態を示す、観音開き扉を有する冷蔵庫の正面図である。
【図４】本発明の一実施の形態を示す、引出し式扉を構成する上部エンドピースと一体のハンドルの主体と別体の化粧カバーが構成する空間にウレタンフォームが充填されている要部縦断面図である。
【図５】従来の冷蔵庫の要部斜視図である。
【図６】従来の引出し式扉のハンドル部縦断面図である。
【符号の説明】
１…引出式扉、２…上端エンドピース、２ａ…ハンドルの主体、２ｂ…係合部、２ｃ…ツメ、２ｄ…係合部、２ｅ…孔、３…ウレタンフォーム、４…引出式収納容器、５…ハンドル、５ａ…把手部、５ｂ…ハンドル下端、５ｃ、５ｄ…手掛け部、５ｅ…化粧カバー、５ｆ、５ｇ、５ｈ…係合部、５ｉ…袋部、６…親指、７…観音開式扉、７ｂ…右扉、８…縦長のハンドル、９…断面、１０１…冷蔵庫本体、１０２ａ…左側扉、１０２ｂ…右側扉、１０３ａ…左ハンドル、１０３ａ′、１０３ａ″…固定部、１０３ｂ…右ハンドル、１０３ｂ′、１０３ｂ″…固定部、１０４…引出式扉、１０５…上部エンドピース、１０５ａ…ハンドル
【図１】
2004218864.tif 000003
【図２】
2004218864.tif 000004
【図３】
2004218864.tif 000005
【図４】
2004218864.tif 000006
【図５】
2004218864.tif 000007
【図６】
2004218864.tif 000008